(57)【要約】【課題】  十分な画像処理を行うことが可能な、しかも低価格な光電変換装置、及びこれに接続される外部機器を提供すること。【解決手段】  入射された光学情報を光電変換して撮像画像データを出力する撮像手段と、前記撮像画像データに基づいた記憶画像データを記憶する不揮発性の記憶手段と、を有する光電変換装置において、前記記憶手段は、前記光電変換装置の特性データを記憶していることを特徴としている。【選択図】        図１
2005323398.tif 000002
【特許請求の範囲】
【請求項１】
入射された光学情報を光電変換して撮像画像データを出力する撮像手段と、
前記撮像画像データに基づいた記憶画像データを記憶する不揮発性の記憶手段と、
を有する光電変換装置において、
前記記憶手段は、前記光電変換装置の特性データを記憶していることを特徴とする光電変換装置。
【請求項２】
前記特性データは、撮像素子の変換特性データ、撮像素子の画素数データ、撮像素子のカラーフィルタ配列データ、撮像素子のカラーフィルタの分光特性データ、撮像素子の欠陥画素データ、赤外カットフィルタの分光特性データ、前記光電変換装置の解像度データ、撮像光学系のレンズ収差データ、カラーバランスデータ、固定パターンノイズデータ、周辺光量の低下データ、Ｅｘｉｆデータ、プリプロセス回路での処理に関するデータ、及び信号処理回路での処理に関するデータ、のうち少なくとも１つのデータであることを特徴とする請求項１に記載の光電変換装置。
【請求項３】
前記特性データは、前記光電変換装置で特殊チャートを所定の条件で撮像し得られた画像データ及び該画像データを解析したデータのうち少なくとも１つのデータであることを特徴とする請求項１に記載の光電変換装置。
【請求項４】
前記特殊チャートを所定の条件で撮像し得られた画像データ及び該画像データを解析したデータは、撮像素子の変換特性データ、撮像素子の欠陥画素データ、前記光電変換装置の解像度データ、撮像光学系のレンズ収差データ、カラーバランスデータ、固定パターンノイズデータ、及び周辺光量の低下データ、のうち少なくとも１つのデータであることを特徴とする請求項３に記載の光電変換装置。
【請求項５】
請求項１〜４の何れか１項に記載の光電変換装置が接続される外部機器であって、前記光電変換装置から前記記憶画像データ及び前記特性データを受け取り、前記記憶画像データに対して前記特性データに基づく画像処理を行うことを特徴とする外部機器。
【請求項６】
前記外部機器は、プリンタ又はパソコンであることを特徴とする請求項５に記載の外部機器。
【発明の詳細な説明】
【技術分野】
【０００１】
本発明は、入射された光学像を光電変換して画像データを出力する撮像手段と、前記撮像手段によって得られた画像データに基づいたデータを記憶する不揮発性の記憶手段と、を有する光電変換装置、及びこれに接続される外部機器に関する。
【背景技術】
【０００２】
光電変換装置は、例えば、スキャナ、スキャナを搭載した複写機やファックス、電子スチルカメラなど画像読取装置に応用されている。これら光電変換装置は、ＣＣＤ（Ｃｈａｒｇｅ−Ｃｏｕｐｌｅｄ  Ｄｅｖｉｃｅｓ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などのイメージセンサである撮像手段で光学像が画素単位で光電変換され、このデータを記憶手段に記憶させるようにしている。記憶手段に記憶されたデジタルデータは、カラープリンタ等によってプリントが行われている。
【発明の開示】
【発明が解決しようとする課題】
【０００３】
この光電変換装置は、電子機器であるために、その扱いに慣れていないユーザーにとっては、障壁の高い代物であった。また、このようなユーザーにとって、プリントしようとすると、コンピュータやプリンタを購入する費用がかさむばかりでなく、コンピュータ上へのデータの取り込み作業や画像処理作業など更に煩雑な作業が要求される。ところで、写真フィルムを用いたカメラは、フィルムの装填作業や、撮影後のフィルム取出し等が、煩雑であるために、従来は、扱いづらいものであったが、予めフィルムが装填され、ユーザーがシャッターを押すだけで、撮影後はフィルムを取り出すことなく、現像にだせるレンズ付きフィルムが販売された。これにより、その操作性により、それまでカメラを利用していないユーザー層でも利用が拡大した。これと同様に、光電変換装置においても、電子機器の扱いに慣れていないユーザーにとって扱いやすい光電変換装置を提供することが望まれている。
【０００４】
また、上述のように扱いやすい光電変換装置を提供できたとしても、高価であっては、利用されない。すなわち、低価格な光電変換装置を提供する必要がある。この低価格化を実現するためには、種々の方法があるが、その一つにリユースがある。リユースを前提とすると、光電変換装置が分解されないことと、光電変換装置に用いられている高価な部品が取り外されないことが好ましい。
【０００５】
一方、従来の光電変換装置では、その内部に有した画像処理回路、或いは、画像処理プログラムを実行することにより、撮像したデータに対して画像処理を施し、記憶手段に記憶させていた。低価格の光電変換装置では、画像処理回路やプログラムを実行するＣＰＵには、性能的或いは価格的に限界があり、十分な画像処理を施すことができないのが実状である。
【０００６】
ところで、従来の光電変換装置の記憶手段には、最小記億単位に１ｂｉｔのデータが記憶される不揮発性のメモリなどが用いられていた。そのために、撮像した１画素のデータを、多値（３値以上）化、例えば８ｂｉｔに多値化した場合、８つのセルに分割して記憶させなければならなかった。そのため、記憶手段の大型化を招き、近年の高画質化に伴い、その記憶容量も膨大なものとなり、光電変換装置の高コスト化を招く結果となっていた。さらに、撮像手段で光電変換された１画素の画像データを多値化するために、撮像手段の出力信号を、デジタルデータに変換する必要があり、このため、Ａ／Ｄ変換器等が必要となり、より一層の高コスト化を招くとともに、消費電力の増大や、大型化を招く結果となっていた。これに対して、特開平８−２８８４９５号公報には、アナログデータを記録できる記憶手段が提案されている。また、近年、最小記億単位に、多値のデータを記憶するものが提案されており、これら記憶手段を用いると、上述した問題を解決することができる。
【０００７】
そこで、本発明では、十分な画像処理を行うことが可能な、しかも低価格な光電変換装置、及びこれに接続される外部機器を提供することを課題としている。
【課題を解決するための手段】
【０００８】
請求項１に記載の発明は、入射された光学情報を光電変換して撮像画像データを出力する撮像手段と、前記撮像画像データに基づいた記憶画像データを記憶する不揮発性の記憶手段と、を有する光電変換装置において、前記記憶手段は、前記光電変換装置の特性データを記憶していることを特徴としている。
【０００９】
請求項２に記載の発明は、請求項１に記載の発明において、前記特性データは、撮像素子の変換特性データ、撮像素子の画素数データ、撮像素子のカラーフィルタ配列データ、撮像素子のカラーフィルタの分光特性データ、撮像素子の欠陥画素データ、赤外カットフィルタの分光特性データ、前記光電変換装置の解像度データ、撮像光学系のレンズ収差データ、カラーバランスデータ、固定パターンノイズデータ、周辺光量の低下データ、Ｅｘｉｆデータ、プリプロセス回路での処理に関するデータ、及び信号処理回路での処理に関するデータ、のうち少なくとも１つのデータであることを特徴としている。
【００１０】
請求項３に記載の発明は、請求項１に記載の発明において、前記特性データは、前記光電変換装置で特殊チャートを所定の条件で撮像し得られた画像データ及び該画像データを解析したデータのうち少なくとも１つのデータであることを特徴としている。
【００１１】
請求項４に記載の発明は、請求項３に記載の発明において、前記特殊チャートを所定の条件で撮像し得られた画像データ及び該画像データを解析したデータは、撮像素子の変換特性データ、撮像素子の欠陥画素データ、前記光電変換装置の解像度データ、撮像光学系のレンズ収差データ、カラーバランスデータ、固定パターンノイズデータ、及び周辺光量の低下データ、のうち少なくとも１つのデータであることを特徴としている。
【００１２】
請求項５に記載の発明は、請求項１〜４の何れか１項に記載の光電変換装置が接続される外部機器であって、前記光電変換装置から前記記憶画像データ及び前記特性データを受け取り、前記記憶画像データに対して前記特性データに基づく画像処理を行うことを特徴としている。
【００１３】
請求項６に記載の発明は、請求項５に記載の発明において、前記外部機器は、プリンタ又はパソコンであることを特徴としている。
【発明の効果】
【００１４】
本発明によれば、十分な画像処理を行うことが可能な、しかも低価格な光電変換装置、及びこれに接続される外部機器を提供することができる。
【発明を実施するための最良の形態】
【００１５】
以下、本発明を適用した光電変換装置の一実施の形態として、電子スチルカメラを例に挙げ説明するが、それに限られず、スキャナ、スキャナを搭載した複写機やファックスなど種々の画像読取装置である光電変換装置に適用できるものである。
【００１６】
（第１の実施の形態）
まず、第１の実施の形態について、説明する。図１は、電子スチルカメラの機能ブロック図を示したものである。
【００１７】
結像手段である光学レンズ１１は、後述するＣＣＤ１５に被写体像（光学像）を結像させる手段である。フォーカス駆動回路１２は、光学像をＣＣＤ１５の受光面に結像するように、光学レンズ１１を駆動する駆動手段であり、例えばステッピングモータにより構成され、光学レンズ１１のＣＣＤ１５に対する位置を変化させる。絞り１３は、ＣＣＤ１５に入射する光量を調整する部材であり、例えばオートアイリス等によって構成される。絞り駆動回路１４は、適正な露光得るために、絞り１３を駆動して光学的な絞り値を変化させる駆動手段である。
【００１８】
ＣＣＤ１５は、光学レンズ１１によって、その受光面に結像した光学像を光電変換して、画素単位でアナログ値の撮像画像データを出力する撮像手段である。この画素単位でアナログ値の撮像画像データを出力するとは、ＣＣＤ１５の受光面に設けられた複数の受光素子ごとに光電変換して、換言すると、光学像を複数の画素に分割して、各画素ごとにアナログ値のデータを、出力することである。なお、撮像手段として、ＣＣＤの他に、ＣＭＯＳなど、光電変換して画素単位でアナログ値の撮像画像データを出力するものを用いることができる。ＣＣＤ駆動回路１６は、ＣＣＤ１５を駆動する駆動手段であり、転送パルスをＣＣＤ１５に与えることにより、ＣＣＤ１５はその転送パルスに基づいて画素単位のアナログ値の撮像画像データを、後段のプリプロセス回路１７へと出力する。
【００１９】
プリプロセス回路１７は、ＣＣＤ１５から出力されたアナログ値の撮像画像データをアナログ処理する回路であり、ここでは、ノイズを除去するＣＤＳ（相関二重サンプリング）処理を行うＣＤＳ１７１と、ダイナミックレンジ拡大のための二一処理や対数変換やガンマ１／２．５乗程度の階調処理などの利得の調整を行うＡＧＣ１７２とを有している。Ａ／Ｄ変換器１８は、プリプロセス回路１７でアナログ処理されたアナログ値の画像データを、デジタル値の画像データに変換（Ａ／Ｄ変換）する手段であり、好ましくは、多値の画像データに変換する。
【００２０】
信号処理回路１９は、Ａ／Ｄ変換器１８でＡ／Ｄ変換されたデジタル値の画像データに対して、輝度処理や色処理を施し、デジタルビデオ信号（例えば、輝度信号（Ｙ）と色差信号（Ｃｒ、Ｃｂ）からなるデジタル（多値）で表された画像データ）に変換する変換手段である。この信号処理回路１９で処理されたデジタルビデオ信号は、後述する画像表示部２０や後述するメモリコントローラ２１に出力される。
【００２１】
画像表示部２０は、後述するメインマイコン２７とのデータ交換や制御により、画像を表示する手段であり、例えば、液晶表示装置などにより構成される。この画像表示部２０に表示される画像としては、信号処理回路１９で処理されたビデオ信号に基づいた、撮影しようとしている画像の他に、各種情報（例えば、白バランス情報や撮影枚数情報や動作モード情報などの駆動情報や操作情報）を表示可能になっている。
【００２２】
メモリコントローラ２１は、後述するフレームメモリ２２を制御する制御手段であり、信号処理回路１９から出力されたデジタルビデオ信号を後述するフレームメモリ２２に蓄積したり、逆に、フレームメモリ２２のデジタルビデオ信号を信号処理回路に出力したりする。
【００２３】
フレームメモリ２２は、デジタルビデオ信号を一時蓄積する画像メモリであり、少なくとも１画面以上の画像データが蓄積可能となっている。このフレームメモリ２２として、例えば、ＶＲＡＭ、ＳＲＡＭ、ＤＲＡＭ等が一般に使用されるが、ここではＣＰＵのバスとは独立動作可能なＶＲＡＭを使用している。
【００２４】
記憶手段２３は、画像データなどを記憶する不揮発性（少なくとも数日間、記憶状態を保持できる）の記憶手段であり、ここでは、記憶画像データ（画像記憶手段２３１に実際に記憶される画像データのことである）を記憶する画像記憶部２３１と、電子スチルカメラの特性データを記憶する特性データ記憶部２３２とを有している。なお、本実施の形態では、この記憶手段２３は、最小記億単位（セル）に１ｂｉｔの記憶画像データが記憶される記憶手段であるが、後述するように、セルに多値の記憶画像データ、或いは、アナログ値の記憶画像データが記憶される記憶手段でもよい。画像記憶部２３１は、フレームメモリ２２に一時蓄積されていた画像データを記憶画像データとして記憶する不揮発性の記憶手段であり、複数画面分の記憶画像データを記憶することができる。このとき、後述するメインマイコン２７が、フレームメモリ２２に一時蓄積されていた画像データに対して、画像圧縮処理（例えば、ＪＰＥＧ方式やＪＢＩＧ方式による圧縮）等を施した記憶画像データであってもよい。また、画像記憶部２３１に記憶される記憶画像データとして、ＣＣＤ１５から出力された撮像画像データを、種々の処理を施さずに記憶してもよい。
【００２５】
また、特性データ記憶部２３２は、電子スチルカメラの特性データを記憶する不揮発性の記憶手段である。この特性データとは、画像データ（記憶画像データ）を用いた再生画像に影響を与えるものであり、光電変換装置を構成する各構成手段の単体若しくは、組み合わせにより持つ特性である（「再生」とは、表示、プリント等、「影響を与える」とは、なければならない必須のもの、及び向上のためにあってもよいものを含む）。具体的には、撮像素子（ＣＣＤ１５）の変換特性、撮像素子の画素数（有効画素数、全画素数）、撮像素子のカラーフィルタ配列（ＲＧＢ等の生データ出力時）、撮像素子のカラーフィルタの分光特性（色特性）、撮像素子の欠陥画素（黒キズ：入射光学像に関係なく黒としての信号を出力する画素、白キズ：入射光学像に関係なく白としての信号を出力する画素）、赤外カットフィルタの分光特性、電子スチルカメラの解像度、撮像光学系のレンズ収差、カラーバランス（例えば、ＲＧＢ各色の信号レベル、基準レベルからのずれ）、固定パターンノイズ（再生画像中に現れる固定のノイズパターン）、周辺光量の低下などの情報や、「Ｅｘｉｆ」フォーマット（ＪＥＩＤＡ（日本電子工業振興協会）規格でありＩＳＯ規格として認定されている）ｖｅｒ．２の細則で定められている情報である。
【００２６】
この特性データ記憶部２３２に記憶される特性データは、電子スチルカメラ組み立て時に記憶され、或いは、電子スチルカメラで特殊チャートを所定の条件で撮像し得られた画像データ、更に、該画像データを解析した特性データを組み立て後（ユーザーが行ってもよく、また、メーカー、或いは、ラボ等で行ってもよい）に記憶されるものである。また、この特性データは、画像記憶部２３１に記憶された画像データを、後述する伝達手段２４で電子スチルカメラ外部に出力するときに、同時に出力され、ラボ等のプリント業者側のプリンタ、或いは、パソコンで、出力された記憶画像データに対して、画像処理するのに利用できる。
【００２７】
なお、この画像記憶部２３１と特性データ記憶部２３２とは、各々独立した不揮発性の記憶手段であってもよいが、１つの不揮発性の記憶手段であって、その内部で領域を分けたものであってもよい。
【００２８】
伝達手段２４は、電子スチルカメラ外部に記憶手段２３に記憶されたデータ（画像記憶部２３１に記憶された記憶画像データ及び特性データ記憶部２３２に記憶された特性データ）を出力するとともに、外部機器（例えば、プリンタなど）からの制御信号が入力されるデータを送受信する手段であって、ここでは、コネクタ（モジュラコネクタ）２４１とＩＲ送受信２４２とを有している。コネクタ２４１は、ラボ等の通信回線或いは外部機器の入出力ケーブルと接続される構成になっている。また、ＩＲ送受信２４２は、赤外線や電波などで外部機器と送受信可能なものである。なお、本実施の形態の伝達手段２４（コネクタ２４１とＩＲ送受信２４２それぞれは）は、送信と受信の両機能を有する手段であるが、送信と受信の機能をそれぞれ有するような手段であってもよい。
【００２９】
操作部２５は、電子スチルカメラの外面（或いは、外面の蓋を開けたときに外部の露呈する面）に設けられ、ユーザーが直接操作可能な外部入力手段であり、例えば、レリーズスイッチ（以下、レリーズＳＷ）２５１、電源スイッチ（以下、電源ＳＷ）２５２、読出モードスイッチ（以下、読出モードＳＷ）２５３、消去スイッチ（以下、消去ＳＷ）２５４などを有している。レリーズＳＷ２５１は画像記録（画像記憶部２３１に記憶画像データを記憶）の指示をする指示手段である。電源ＳＷ２５２は電子スチルカメラの電源のオン／オフを行う手段である。読出モードＳＷ２５３は、記憶手段２３に記憶された記憶画像データを、伝達手段２４を介して外部に出力するモードに設定する設定手段、或いは、外部に出力する出力指示手段である。消去ＳＷ２５４は画像記憶部２３１に記憶された記憶画像データの消去を指示する消去指示手段である。
【００３０】
サブマイコン２６は、記録、電源オン／オフ、データの出力、消去、再生といったユーザーによる操作部２５の操作、すなわち、マンマシン・インターフェースをつかさどる制御手段であり、必要に応じて後述するメインマイコン８と情報伝達（情報の授受）を行うものである。
【００３１】
メインマイコン２７は、主として撮影、記録、再生、外部機器とのデータの授受のシーケンスを制御する制御手段であり、フォーカス駆動回路１２、絞り駆動回路１４、ＣＣＤ駆動回路１６、プリプロセス駆動回路１７、信号処理回路１９、画像表示部２０、メモリコントローラ２１、フレームメモリ２２、記憶手段２３などを制御する。また、このメインマイコン２７は、必要に応じてサブマイコン２６と情報の伝達（情報の授受）を行うものである。
【００３２】
ここで、この電子スチルカメラの動作について説明する。まず、撮影者であるユーザーは、操作部２５の電源ＳＷ２５２を操作して、電源をオンにする。電子スチルカメラは、各種初期化を行った後、メインマイコン２７の制御により、フォーカス駆動回路１２によって光学レンズ１１駆動し、絞り駆動回路１４によって絞り１３を駆動して、光学像をＣＣＤ１５の受光面に結像させる。そして、ＣＣＤ駆動回路１６によって動作させられるＣＣＤ１５が、結像した光学情報（光学像）を、画素単位で光電変換して、画素ごとのアナログ値の撮像画像データを出力する。出力されたアナログ値の撮像画像データは、プリプロセス回路１７でアナログ処理され、Ａ／Ｄ変換器１８でＡ／Ｄ変換された後、信号処理回路１９で輝度処理や色処理が施されてデジタルビデオ信号に変換される。変換されたデジタルビデオ信号は、画像表示部２０に出力されてデジタルビデオ信号に基づいた画像を画像表示部２０に表示する。
【００３３】
ユーザーは、画像表示部２０に表示された画像を見て、レリーズＳＷ２５１を押圧すると、これに応じてＣＣＤ１５で撮像されたアナログ値の撮像画像データを、プリプロセス回路１７でアナログ処理し、Ａ／Ｄ変換器１８でＡ／Ｄ変換された後、信号処理回路１９で処理されて、メモリコントローラ２１を介して、フレームメモリ２２に一時記憶される。その後、フレームメモリ２２データを記憶画像データとして画像記憶部２３１に転送して、記憶画像データを記憶させる。このような操作を複数回繰り返すことにより、画像記憶部２３１には、複数画面分の記憶画像データが記憶されることになる。
【００３４】
ところで、画像記憶部２３１に複数画面分の記憶画像データが記憶されているが、その中で撮影に失敗した記憶画像データがあれば、ユーザーは、消去ＳＷ２５４を操作して、失敗した記憶画像データの消去を行うことができる。そして、消去された記憶画像データを記憶していた画像記憶部２３１の領域には、新たな記憶画像データの記憶できるようになっているが、消去される記憶画像データ以降の記憶画像データを消去する記憶画像データの領域に順次シフトさせ、上書きするようにしてもよい。なお、この消去或いは上書きは、撮影済（画像記憶部２３１に記憶済）の複数の画面のうち任意の画面（記憶画像データ）に対して行うことができる。
【００３５】
また、電子スチルカメラで撮像されて記憶された記憶画像データをプリンタでプリントしたり、ディスプレイに表示するために、外部機器に記憶画像データを出力する場合、ユーザーは、出力ＳＷ２５４を操作する。この操作に基づいて、メインマイコン２７は、画像記憶部２３１に記憶された記憶画像データを、外部機器に出力する。なお、このとき、記憶画像データを直ちに出力するのではなく、出力可能な状態、換言すると、読出モードに移行する。実際に記憶画像データを出力する際は、読出モードに移行した後、外部機器（電子スチルカメラ外）からの信号が伝達手段２４を介して電子スチルカメラに入力されて初めて、或いは、外部機器からの信号が伝達手段を介して電子スチルカメラに入力されてから、画像記憶部２３１に記憶されている記憶画像データを外部機器へと出力する。
【００３６】
ところで、本実施の形態では、この外部機器に記憶画像データを出力する際に、特性データ記憶部２３２に記憶された特性データをも出力するように構成している。このような構成とすることで、記憶画像データを同時に外部機器に出力された特性データに基づいて、ラボ等のプリント業者側のプリンタ、或いは、パソコンで、出力された記憶画像データに対して、特性データに基づいた画像処理を行うことができる。したがって、従来の電子スチルカメラ内部で処理可能な画像処理以上の画像処理を、プリントする画像に対して行うことができ、高品質なプリントを行うことができる。さらに、上述の特性データに加え、或いは、代えて、プリプロセス回路１７で行われる処理の少なくとも一部の処理に関するデータ、或いは、信号処理回路１９で行われる画像処理の少なくとも一部の処理に関するデータを特性データとして、特性データ記憶部２３２に記憶させることにより、プリプロセス回路１７、信号処理回路１９を簡略化でき、低コスト化を実現できるとともに、プリントされた画像は、何ら遜色のないものとすることができる。
【００３７】
なお、ここでは、レリーズＳＷ２５１を押圧すると、フレームメモリ２２に一時画像データを記憶した後に、画像記憶部２３１に転送して、記憶画像データとして記憶させるようにしたが、レリーズＳＷ２５１を押圧したときに、ＣＣＤ１５による撮像を行い得られたデータを、フレームメモリ２２を介さずに、画像記憶部２３１に記憶させるようにしてもよい。この場合、フレームメモリ２２を設けることはない。
【００３８】
また、ここでは、画像表示部２０を設けているが、画像表示部２０に加え、或いは、代えて、光学ファインダーを設けてもよい。画像表示部２０を設けずに光学ファインダーを設けた場合は、画像表示部２０に係わる構成を電子スチルカメラより省くことができ、低コスト化を実現できる。この場合においても、フレームメモリ２２を設けずに、レリーズＳＷ２５１が押圧されたと時に得られた画像データを記憶画像データとして画像記憶部２３１に記憶させるようにしてもよい。
【００３９】
また、被写体とＣＣＤ１５との間に、遮光手段であるシャッター（メカニカルシャッター）を設けるとよい。このシャッターは、開状態のとき光学像がＣＣＤ１５に入射する（このときの開く程度により絞り作用をなす）ことができ、閉状態のとき、ＣＣＤ１５に光が入射しない（すなわち、遮光状態）ように、開状態と閉状態との間を変位可能に設け、レリーズＳＷ２５１の押圧に基づいてメインマイコン２７によって制御される。なお、このシャッターは、絞り１３と兼用となっていてもよい。
【００４０】
（第２の実施の形態）
次に、第２の実施の形態について、説明する。なお、基本的には、上述した第１の実施の形態と同じであるので、詳細な説明は省略し、以下、主に異なる点について説明する。
【００４１】
本実施の形態における電子スチルカメラは、撮影者であるユーザーによって、電子スチルカメラ外に、画像記憶手段２３１に記憶された画像データを、読み出し不可能に構成している。すなわち、ユーザーでは、画像記憶部２３１に記憶された記憶画像データを電子スチルカメラ外に読み出しが可能な読出モードに移行できないように構成している。
【００４２】
具体的に、ユーザーが画像データを読み出し不可能に構成するには、上述の第１の実施の形態で操作部２５に設けられた読出モードＳＷ２５３を、ユーザーが操作しても読出モードに移行しないように構成すればよい。あるいは、電子スチルカメラ外より電子スチルカメラに入力されるモード移行情報を得て、好ましくは、得たときのみ、読出モードに移行する、あるいは、電子スチルカメラ自体（その操作部２５）に読出モードＳＷ２５３を設けない、あるいは、電子スチルカメラ（操作部２５）に設けられた操作部材の特定の操作（電子スチルカメラを購入したときに添付されている取扱説明書に記載されていない操作或いは操作の手順）により読出モードに移行する、あるいは、電子スチルカメラに所定形状の部材と係合可能な被係合部（特殊形状のコネクタ２４１でもよい）を設け、該被係合部と所定の形状の部材とが係合することにより読出モードに移行するように構成してもよい。
【００４３】
そして、本実施の形態では、上述のようにユーザーによって、記憶画像データを読み出し不可能に構成されていても、ラボ等のプリント業者によって、電子スチルカメラ外に、画像記憶手段２３１に記憶された記憶画像データを、読み出し可能に構成している。
【００４４】
具体的に、ユーザーができなくて、ラボ等のプリント業者が記憶画像データを読み出し可能に構成するには、伝達手段２４を介して、外部機器から電子スチルカメラに入力される制御信号に基づいて、好ましくは基づいてのみ、画像記憶部２３１に記憶された記憶画像データを読み出し可能に設ければよい。この場合、外部機器から入力される制御信号は、ラボ等のプリント業者のみが知っている制御信号であり、暗号化された信号であることが好ましい。
【００４５】
また、ユーザーができなくて、ラボ等のプリント業者が記憶画像データを読み出し可能に構成するには、操作部２５を特定の操作（この操作は、ユーザーに知らしておらず、ラボ等のプリント業者には知らしている予め定められた操作であり、取扱説明書に記載されていない操作或いは操作の手順）、例えば、電源ＳＷ２５２とレリーズＳＷ２５１とを同時に押すなどすることにより、読出モードに移行し、実際に記憶画像データの出力がなされるように構成してもよい。
【００４６】
さらに、ラボ等のプリント業者が記憶画像データを読み出す際には、暗号化されたデータであることが好ましい。
【００４７】
このように、本実施の形態では、ユーザーによって、記憶画像データの読み出しを不可能に構成しているので、ユーザー自身が記憶画像データを読み出してプリントを行うことができなくなるが、そのプリントに係る煩雑な作業から開放され、電子機器の扱いに慣れていないユーザーにとっては、電子スチルカメラは、撮像するのみで済み、プリントする場合は、電子スチルカメラをラボ等のプリント業者に持ち込むだけで済み、扱いやすい電子スチルカメラとなる。さらに、こうした場合、ユーザーはパソコンやプリンタなどの設備投資が要らないばかりでなく、ラボ等のプリント業者が所有している高機能プリンタやパソコンによって、高品質なプリントを得ることができる。
【００４８】
一方、ラボ等のプリント業者においては、このような電子スチルカメラが増加すると、プリントを行う回数が増え、機器の稼働効率がアップし、人件費などランニングコストの低減を図ることができる。これは、ひいては、ユーザーのプリント代低下につながることになる。
【００４９】
特に、本実施の形態では、画像記憶部２３１に記憶された記憶画像データを、ラボ等プリント業者が知っている操作、或いは、制御信号によって、読み出すことができるように構成しているので、ラボ等のプリント業者における機器の稼働効率の更なるアップを図ることができる。さらに、該制御信号を暗号化された信号とすることで、或いは、読み出した記憶画像データを暗号化された信号とことで、ユーザーの意図に反し読み出されることがない。
【００５０】
ところで、本実施の形態においては、操作部２５に消去ＳＷ２５４を設けている。この消去ＳＷ２５４をユーザーが押圧することによって、画像記憶部２３１に記憶された複数の画面のうち任意の画面の記憶画像データを消去、あるいは、上書きできるように構成している。したがって、ユーザーが撮像に失敗した場合は、この消去ＳＷ２５４によって、撮像をやり直すことできる。
【００５１】
なお、本実施の形態においては、上述した第１の実施の形態のように、記憶手段２３内に、電子スチルカメラの特性データを記憶する特性データ記憶部２３２を設けたが、特性データ記憶部２３２を設けなくてもよい。
【００５２】
（第３の実施の形態）
次に、第３の実施の形態について、説明する。なお、基本的には、上述した第１、２の実施の形態と同じであるので、詳細な説明は省略し、以下、主に異なる点について説明する。
【００５３】
本実施の形態における電子スチルカメラは、撮影者であるユーザーによって、画像記憶部２３１に記憶された画像データを、消去、或いは、上書きができないように構成している。詳述すると、ユーザーが、操作部２５に設けられた操作部材（各種スイッチ）による操作をしても、画像記憶部２３１に記憶された画像データを、消去、或いは、上書きされないに構成となっている。
【００５４】
具体的に、上述した第１、２の実施の形態では、操作部２５にユーザーが押圧することによって、画像記憶部２３１に記憶された複数の画面のうち任意の画面の画像データを消去、あるいは、上書きする消去ＳＷ２５４を設けているが、この消去ＳＷ２５４を設けないようにすればよい。あるいは、電子スチルカメラ外より電子スチルカメラに入力される消去情報、或いは、上書き情報を得て、記憶手段に記憶された記憶画像データを、消去、或いは、上書き可能となる、あるいは、電子スチルカメラ（操作部２５）に設けられた操作部材の特定の操作（電子スチルカメラを購入したときに添付されている取扱説明書に記載されていない操作或いは操作の手順）により、画像記憶手段２３１に記憶された記憶画像データを、消去、或いは、上書きする、あるいは、電子スチルカメラに設けられた操作部材の操作のみでは、画像記憶手段２３１に記憶された記憶画像データを、消去、或いは、上書き不可能にする、あるいは、電子スチルカメラに所定形状の部材と係合可能な被係合部（特殊形状のコネクタ２４１でもよい）を設け、該被係合部と所定の形状の部材とが係合することにより、画像記憶手段２３１に記憶された記憶画像データを、消去、或いは、上書き不可能にするように構成することができる。
【００５５】
このように構成することにより、ユーザーが画像記憶部２３１に記憶された記憶画像データを消去することができないが、その煩雑な操作を覚える必要がなく、しかも、その作業からも開放され、電子機器の扱いに慣れていないユーザーにとっては、電子スチルカメラは、撮像するのみで済み、扱いやすい電子スチルカメラとなる。そして、この電子スチルカメラで撮像した記憶画像データをプリントする場合は、電子スチルカメラをラボ等のプリント業者に持ち込むだけで済み、扱いやすい電子スチルカメラとなり、このユーザーが大いに利用できる。さらに、こうした場合、ユーザーはパソコンやプリンタなどの設備投資が要らないばかりでなく、ラボ等のプリント業者が所有している高機能プリンタやパソコンによって、高品質なプリントを得ることができる。
【００５６】
ところで、このようにラボ等のプリント業者に持ち込まれた電子スチルカメラは、リユースするようにすれば、電子スチルカメラ自体の価格の低下を図ることができ好ましい。そのために、画像記憶部２３１に記憶された記憶画像データすべては、上述したように、ユーザーによっては、消去、或いは、上書き不可能に構成しているが、ラボ等のプリント業者によって、消去可能に構成するとよい。例えば、伝達手段２４を介して、外部機器（電子スチルカメラ外）から電子スチルカメラに入力される制御信号に基づいて、好ましくは、基づいてのみ、画像記憶部２３１に記憶された記憶画像データを消去可能に構成すればよい。この場合、外部機器から入力される制御信号は、ユーザーには知らしめておらず、ラボ等のプリント業者のみが知っている制御信号であり、暗号化された信号であることが好ましい。また、ユーザーができなくて、ラボ等のプリント業者が記憶画像データを消去可能に構成するには、操作部２５を特定の操作（この操作は、ユーザーに知らしておらず、ラボ等のプリント業者には知らしている予め定められた操作であり、取扱説明書に記載されていない操作或いは操作の手順）、例えば、特定の複数の操作部材（ＳＷ）を同時に押すなどすることにより、画像記憶部２３１に記憶された記憶画像データを消去可能に構成してもよい。
【００５７】
なお、本実施の形態においては、上述した第１の実施の形態のように、記憶手段２３内に、電子スチルカメラの特性データを記憶する特性データ記憶部２３２を設けてもよいが、特性データ記憶部２３２を設けなくてもよい。また、本実施の形態においては、上述した第２の実施の形態のように、ユーザーによって画像記憶部２３１に記憶された記憶画像データを読み出し不可能に設けたが、読み出し可能に設けてもよい。
【００５８】
（第４の実施の形態）
次に、第４の実施の形態について、説明する。なお、本実施の形態は、上述した第３の実施の形態では、撮影の失敗した場合にやり直しがきかないという問題を解決することができるもので、詳細な説明は省略し、以下、上述した第３の実施の形態と主に異なる点について説明する。
【００５９】
本実施の形態における電子スチルカメラは、画像記憶部２３１に記憶された画像データのうち、直前に記憶された記憶画像データ（画像記憶部２３１に記憶された記憶画像データのうち最も最後の時に記憶された１画面分の記憶画像データ）のみ、消去、或いは、上書き可能に構成している。具体的には、操作部２５に消去スイッチＳＷ２５４を設け、この消去ＳＷ２５４をユーザーが押圧することによって、画像記憶部２３１に記憶された複数の画面のうち直前に記憶された画面の記憶画像データを消去、あるいは、上書きできるように構成している。すなわち、この消去ＳＷ２５４を押圧すると、直前の記憶画像データを消去し、或いは、消去ＳＷ２５４を押圧した後にレリーズＳＷ２５１を押圧すると、直前の記憶画像データの記憶領域に、新たな記憶画像データを上書きするようにしている。
【００６０】
したがって、ユーザーが撮像に失敗した場合は、この消去ＳＷ２５４によって、撮像をやり直すことできる。しかも、消去、或いは、上書きする記憶画像データを直前の記憶画像データに限定しているために、複数画面のうち任意の画面を選択するための煩雑な操作を行う必要がなく、電子機器の扱いに慣れていないユーザーにとっては、扱いやすい電子スチルカメラとなり、このユーザーが大いに利用できる。
【００６１】
ところで、このようにラボ等のプリント業者に持ち込まれた電子スチルカメラは、リユースするようにすれば、電子スチルカメラ自体の価格の低下を図ることができ好ましい。そのために、本実施の形態では、ユーザーでは、直前の記憶画像データのみ消去、或いは、上書き可能に構成しているが、ラボ等のプリント業者によって、画像記憶部２３１に記憶された記憶画像データすべてを消去可能に構成するとよい。例えば、伝達手段２４を介して、外部機器から電子スチルカメラに入力される制御信号に基づいてのみ、画像記憶部２３１に記憶された記憶画像データすべてを消去可能に構成すればよい。この場合、外部機器から入力される制御信号は、ユーザーには知らしめておらず、ラボ等のプリント業者のみが知っている制御信号であり、暗号化された信号であることが好ましい。また、ユーザーができなくて、ラボ等のプリント業者が記憶画像データすべてを消去可能に構成するには、操作部２５を特定の操作（この操作は、ユーザーに知らしておらず、ラボ等のプリント業者には知らしている予め定められた操作であり、取扱説明書に記載されていない操作或いは操作の手順）、例えば、特定の複数の操作部材（ＳＷ）を同時に押すなどすることにより、画像記憶部２３１に記憶された記憶画像データすべてを消去可能に構成してもよい。
【００６２】
なお、本実施の形態においては、上述した第１の実施の形態のように、記憶手段２３内に、電子スチルカメラの特性データを記憶する特性データ記憶部２３２を設けてもよいが、特性データ記憶部２３２を設けなくてもよい。また、本実施の形態においては、上述した第２の実施の形態のように、ユーザーによって画像記憶部２３１に記憶された記憶画像データを読み出し不可能に設けたが、読み出し可能に設けてもよい。
【００６３】
（第５の実施の形態）
次に、第５の実施の形態について説明する。なお、基本的には、上述した第１〜４の実施の形態と同じであるので、詳細な説明は省略し、以下、主に異なる点について説明する。
【００６４】
上述した第１〜４の実施の形態において、電子スチルカメラの記憶手段２３（特に、画像記憶部２３１）には、最小記億単位（セル）に１ｂｉｔのデータが記憶される不揮発性のメモリなどが用いられていた。そのために、ＣＣＤ１５で撮像した１つの画素のデータ（アナログ値の撮像画像データ）を、Ａ／Ｄ変換器１８で多値（３値以上）化、例えば８ｂｉｔに多値化した場合、８つのセルに分割して記憶させなければならなかった。そのため、記憶手段２３の大型を招き、近年の高画質化に伴い、その記憶容量も膨大なものとなり、電子スチルカメラの高コスト化を招く結果となっていた。
【００６５】
そこで、本実施の形態では、記憶手段２３として、１つのセルに（最小記憶単位で）多値のデータを記憶可能な不揮発性の記憶手段を用いている。これにより、ＣＣＤ１５から出力された１画素分のアナログ値のデータを、Ａ／Ｄ変換器１８でＡ／Ｄ変換して多値のデジタル値のデータとした上で、画像記憶部２３１の１つのセルに記憶させることができ、画像記憶部２３１の小型化や撮像枚数の増加など図ることができる。
【００６６】
ところで、本実施の形態では、ＣＣＤ１５で得られた１画素分のアナログ値のデータを、Ａ／Ｄ変換器１８でＡ／Ｄ変換して多値のデジタルデータとした上で、画像記憶部２３１の１つのセルに記憶させるのではなく、多値のデジタルデータを複数画素分を、まとめて、画像記憶部２３１の１つのセルに記憶させるようにしている。例えば、１つのセルに記憶可能な多値を上位と下位とに分け、それぞれに１画素分の多値のデジタルデータを記憶させる。具体的に言えば、画像記憶部２３１の１つのセルに８ｂｉｔのデジタルデータが記憶可能であるとすると、上位４ｂｉｔと下位４ｂｉｔとに分け、それぞれに、ＣＣＤ１５で得られた１つ画素のアナログデータに基づいた多値（４ｂｉｔ）のデジタルデータを、記憶させるようにする。すなわち、ＣＣＤ１５で得られた２つの画素に基づいたデジタルデータを、上位と下位とに合成して、１つのセルに記憶させる。
【００６７】
このように、ＣＣＤ１５で得られた複数画素のアナログ値のデータに基づいた多値データを、画像記憶部２３１の１つのセルに記憶させることにより、より一層の高密度にデータを記憶させることができ、撮像枚数の増加のみならず、結果的に、画像記憶部２３１や電子スチルカメラの小型化、さらには低価格化など図ることができる。
【００６８】
なお、本実施の形態においては、上述した第１の実施の形態のように、記憶手段２３内に、電子スチルカメラの特性データを記憶する特性データ記憶部２３２を設けてもよい（この場合、特性データ記憶部２３２は画像記憶部２３１と同じ半導体素子として、特性データを多値のデジタルデータとして記憶させることが好ましいが、特性データ記憶部２３２と画像記憶部２３１とを異なる半導体素子としてもよい）が、特性データ記憶部２３２を設けなくてもよい。また、本実施の形態においては、上述した第２の実施の形態のように、ユーザーによって画像記憶部２３１に記憶された記憶画像データを読み出し不可能に設けたが、読み出し可能に設けてもよい。また、本実施の形態においては、上述した第３の実施の形態のように、ユーザーによって画像記憶部２３１の記憶画像データの消去を不可能に、あるいは、上述した第４の実施の形態のように、ユーザーによって直前の記憶画像データのみ消去可能に設けてもよいが、これに限られない。
【００６９】
（第６の実施の形態）
次に、第６の実施の形態について説明する。なお、基本的には、上述した第５の実施の形態と同じであるので、詳細な説明は省略し、以下、主に異なる点について説明する。
【００７０】
上述した第５の実施の形態では、ＣＣＤ１５で得られた複数画素のアナログ値の撮像画像データに基づいた多値の画像データを、画像記憶部２３１の１つのセルに記憶させるように構成したが、本実施の形態では、ＣＣＤ１５で得られた１つの画素のアナログ値の撮像画像データに基づいた多値データを、画像記憶部２３１の複数のセルに記憶させるように構成している。
【００７１】
このように、構成することにより、より高精度（多階調）な記憶画像データを蓄積できるにもかかわらず、それを記憶する画像記憶部２３１の容量を大きく増やすことなく対応できる。
【００７２】
特に、ＣＣＤ１５で得られた１つの画素の多値のデータを、全階調と下半分の階調（さらに、下１／４階調）とに分けそれぞれを、画像記憶部２３１の１つのセルに記憶させるようにすることが好ましい。これは、階調補正においては、暗い部分（すなわち低い階調側）の処理が重要となるが、このように、全階調の多値のデータとは別に、低い階調側の多値のデータを、１つのセルに記憶させておけば、データ処理の効率化が図れるとともに、精度の高い階調補正を行うことができ、高画質なプリントを得ることができる。
【００７３】
なお、本実施の形態においては、上述した第１の実施の形態のように、記憶手段２３内に、電子スチルカメラの特性データを記憶する特性データ記憶部２３２を設けてもよい（この場合、特性データ記憶部２３２は画像記憶部２３１と同じ半導体素子として、特性データを多値のデジタルデータとして記憶させることが好ましいが、特性データ記憶部２３２と画像記憶部２３１とを異なる半導体素子としてもよい）が、特性データ記憶部２３２を設けなくてもよい。また、本実施の形態においては、上述した第２の実施の形態のように、ユーザーによって画像記憶部２３１に記憶された記憶画像データを読み出し不可能に設けたが、読み出し可能に設けてもよい。また、本実施の形態においては、上述した第３の実施の形態のように、ユーザーによって画像記憶部２３１の記憶画像データの消去を不可能に、あるいは、上述した第４の実施の形態のように、ユーザーによって直前の記憶画像データのみ消去可能に設けてもよいが、これに限られない。
【００７４】
（第７の実施の形態）
次に、第７の実施の形態について、説明する。上述した第５、６の実施の形態では、画像記憶手段２３１として、１つのセルに多値が記憶可能な記憶手段を用いた例で説明したが、本実施の形態では、１つのセルにアナログ値が記憶可能な不揮発性の記憶手段を用いたものである。なお、詳細な説明は上述までの説明と同じであるので省略し、以下、上述した第６の実施の形態と主に異なる点について説明する。
【００７５】
上述の第６の実施の形態では、多値の記憶画像データを画像記憶部２３１に記憶するよう構成したので、ＣＣＤ１５で光電変換された１つの画素のデータを多値化するために、Ａ／Ｄ変換器１８等が必要となり、より一層の高コスト化を招くとともに、消費電力の増大や、大型化を招く結果となっていた。
【００７６】
そこで、本実施の形態では、記憶手段２３として、１つのセルに（最小記憶単位で）アナログ値のデータが記憶可能な不揮発性の記憶手段を用いている。このアナログ値が記憶可能な記憶手段としては、例えば、特開平８−２８８４９５号公報によって提案されている記憶手段がある。このような構成により、ＣＣＤ１５から出力された１画素分のアナログ値のデータを、Ａ／Ｄ変換器１８でＡ／Ｄ変換することなく、アナログ値のまま、画像記憶部２３１の１つのセルに記憶させることができ、画像記憶部２３１の小型化や撮像枚数の増加など図ることができるとともに、Ａ／Ｄ変換器１８等を設ける必要がなく、低コスト化を実現できる。
【００７７】
なお、この記憶手段の変更に伴って、信号処理回路１８も、アナログ値に対して、信号処理を行うものに変更すればよい。なお、信号処理を全く施さずに、アナログ値の撮像画像データを、アナログ値の記憶画像データとして、画像記憶部２３１に記憶するようにしてもよい。
【００７８】
ところで、本実施の形態では、ＣＣＤ１５で得られた１画素分のアナログ値のデータを、画像記憶部２３１の複数のセルに記憶させるように構成している。このように、構成することにより、より高精度な記憶画像データを蓄積できるにもかかわらず、それを記憶する画像記憶部２３１の容量を大きく増やすことなく対応できる。
【００７９】
特に、ＣＣＤ１５で得られた１つの画素のアナログ値のデータを、全階調と下半分の階調（さらに、下１／４階調）とに分けそれぞれを、画像記憶部２３１の１つのセルに記憶させるようにすることが好ましい。これは、階調補正においては、暗い部分（すなわち低い階調側）の処理が重要となるが、このように、全階調のアナログ値のデータとは別に、低い階調側のアナログ値のデータを、１つのセルに記憶させておけば、データ処理の効率化が図れるとともに、精度の高い階調補正を行うことができ、高画質なプリントを得ることができる。
【００８０】
なお、本実施の形態においては、上述した第１の実施の形態のように、記憶手段２３内に、電子スチルカメラの特性データを記憶する特性データ記憶部２３２を設けてもよいが、特性データ記憶部２３２を設けなくてもよい。
【００８１】
記憶手段２３内に特性データ記憶部２３２を設けた場合、特性データ記憶部２３２と画像記憶部２３１とを異なる半導体素子としてもよいが、特性データ記憶部２３２と画像記憶部２３１とを同じ半導体素子（ここでは、画像記憶部２３１が特性データ記憶部２３２を兼用することとして説明する）とすることが好ましい。
【００８２】
この場合、記憶画像データはアナログ値で、特性データは多値で、画像記憶部２３１に記憶させようにすればよい。これは、最小記億単位にアナログ値を記憶できる記憶手段は、しきい値の設け方により、記憶するデータとして、アナログ値だけではなく、多値も記憶することが可能であるために、可能となる。
【００８３】
すなわち、この場合、画像記憶部２３１を、アナログ値を記憶する領域と、多値を記憶する領域とに分け、アナログ値を記憶する領域に、ＣＣＤ１５で得られたアナログ値の記憶画像データを記憶させるように構成している。そして、多値を記憶する領域に多値の特性データを記憶させるように構成している。これにより、電子スチルカメラに適した、或いは、効率化を図った、アナログ値或いは多値のデータを記憶できる記憶手段の使い方ができる。
【００８４】
また、本実施の形態においては、上述した第２の実施の形態のように、ユーザーによって画像記憶部２３１に記憶された記憶画像データを読み出し不可能に設けたが、読み出し可能に設けてもよい。また、本実施の形態においては、上述した第３の実施の形態のように、ユーザーによって画像記憶部２３１の記憶画像データの消去を不可能に、あるいは、上述した第４の実施の形態のように、ユーザーによって直前の記憶画像データのみ消去可能に設けてもよいが、これに限られない。
【００８５】
（第８の実施の形態）
次に、第８の実施の形態について説明する。なお、本実施の形態は、基本的には、上述した第１〜７の実施の形態と同様であるので、具体的な構成の詳細な説明は省略し、以下、本実施の形態の特徴について説明する。
【００８６】
一般に、電子スチルカメラは高価であっては、利用されない。すなわち、低価格な電子スチルカメラを提供する必要がある。この低価格化を実現するためには、種々の方法があるが、その一つにリユースすることがある。ところが、電子スチルカメラが故障した場合、電子スチルカメラを分解するユーザーがいる。このように、電子スチルカメラが分解されると、リユースしにくくなる。さらに、電子スチルカメラに用いられている高価な部品である半導体素子（メインマイコン２７、画像表示部２０、サブマイコン２６、ＣＣＤ１５、フレームメモリ２２、記憶手段２３など汎用できる半導体素子）を取り外し、抜き取られる。このような場合、リユースしようにも半導体素子がなないため、リユースできない事態に陥いるばかりでなく、リユースするために新たな半導体素子が必要となり、結果的に、高価格にならざるを得ない。
【００８７】
そこで、本実施の形態では、電子スチルカメラに用いられる半導体素子（少なくとも１つ）を、半導体素子の端子以外の部分が接着剤によって電子スチルカメラの筐体或いは基板（好ましくは、半導体素子の端子がつながっている基板）に接着するよう構成する。このように構成することにより、半導体素子を取り外そうとすると、半導体素子が接着されているので、半導体素子を取り外すことができない、或いは、取り外せたとしても半導体素子が壊れることになる。こうなると、半導体素子を取り外そうとの試みが減少し、電子スチルカメラのリユースが容易となる。
【００８８】
なお、半導体素子を筐体或いは基板に接着する接着剤は、絶縁性であることが好ましい。これにより、短絡など起こす心配がなく、性能的に安定する。
【００８９】
なお、本実施の形態においては、上述した第１の実施の形態のように、記憶手段２３内に、電子スチルカメラの特性データを記憶する特性データ記憶部２３２を設けてもよい（この場合、特性データ記憶部２３２は画像記憶部２３１と同じ半導体素子として、特性データを多値のデジタルデータとして記憶させることが好ましいが、特性データ記憶部２３２と画像記憶部２３１とを異なる半導体素子としてもよい）が、特性データ記憶部２３２を設けなくてもよい。また、本実施の形態においては、上述した第２の実施の形態のように、ユーザーによって画像記憶部２３１に記憶された記憶画像データを読み出し不可能に設けたが、読み出し可能に設けてもよい。また、本実施の形態においては、上述した第３の実施の形態のように、ユーザーによって画像記憶部２３１の記憶画像データの消去を不可能に、あるいは、上述した第４の実施の形態のように、ユーザーによって直前の記憶画像データのみ消去可能に設けてもよいが、これに限られない。また、本実施の形態のいては、画像記憶手段２３１として、第６の実施の形態のように多値を記憶できる、或いは、第７の実施の形態のようにアナログ値を記憶できるものではなく、１つのセルに１ｂｉｔが記憶できるものであってもよい。
【図面の簡単な説明】
【００９０】
【図１】電子スチルカメラの機能ブロック図である。
【符号の説明】
【００９１】
１１  光学レンズ（結像手段）
１５  ＣＣＤ（撮像手段）
１８  Ａ／Ｄ変換器
２３  記憶手段
２３１  画像記憶部
２３２  特性データ記憶部
２５  操作部
【図１】
2005323398.tif 000003